(57)【要約】【課題】生体内成分の測定を高精度に行える生体内成分測定装置を提供することにある。【解決手段】生体内成分測定装置は、近赤外光を出射する光源部１０及び光源部１０から出射された近赤外光を２つに分岐する分岐部１６を備える光源ユニット１と、分岐部１６で分岐された一方の近赤外光を生体Ｓに照射し、生体Ｓ内を経由した近赤外光を受光して生体信号として出射する第１の測定プローブ２と、分岐部１６で分岐された他方の近赤外光を参照板Ｒに照射し、参照板Ｒで反射された近赤外光を受光して参照信号として出射する第２の測定プローブ３と、生体信号及び参照信号をそれぞれ受光し、各々に対応する電気信号を出力する分光受光ユニット４と、分光受光ユニット４で受光する信号を選択する信号選択部５と、分光受光ユニット４から出力される電気信号に基づいて生体内成分を算出する演算ユニット６と、分光受光ユニット４が収納される恒温暗箱７とを備える。【選択図】図１
2007151962.tif 000002
【特許請求の範囲】
【請求項１】
近赤外光を出射する光源部と、該光源部から出射された近赤外光を２つに分岐する分岐部と、該分岐部で分岐された一方の近赤外光を生体に照射し、該生体内を経由した前記近赤外光を受光して生体信号として出射する生体用光伝送路と、前記分岐部で分岐された他方の近赤外光を参照用の反射板に照射し、該反射板で反射された近赤外光を受光して参照信号として出射する参照用光伝送路と、前記生体信号及び前記参照信号をそれぞれ受光し、各々に対応する電気信号を出力する受光ユニットと、該受光ユニットから出力される電気信号に基づいて所定の生体内成分を算出する演算ユニットと、少なくとも前記受光ユニットを収納する恒温暗箱とを備えていることを特徴とする生体内成分測定装置。
【請求項２】
前記光源部は、前記恒温暗箱とは別の光源用恒温暗箱に収納されていることを特徴とする請求項１に記載の生体内成分測定装置。
【請求項３】
前記光源部と、前記分岐部と、前記生体用光伝送路と、前記参照用光伝送路と、前記受光ユニットと、前記恒温暗箱とを収納する筐体を備え、前記恒温暗箱は、前記筐体の下部に配置されていることを特徴とする請求項１又は２に記載の生体内成分測定装置。
【請求項４】
前記分岐部と、前記生体用光伝送路と、前記参照用光伝送路と、前記受光ユニットと、前記恒温暗箱と、前記反射板とを収納する筐体を備え、該筐体には、前記光源部が出射する近赤外光を前記分岐部に入射させる光入射部が設けられていることを特徴とする請求項１又は２に記載の生体内成分測定装置。
【発明の詳細な説明】
【技術分野】
【０００１】
本発明は、近赤外領域における光の吸収を利用した生体組織中或いは体液中の化学成分を分光分析する生体内成分測定装置に関するものであり、具体的には皮膚組織中のグルコース濃度の定量分析を行なうことにより血糖値測定を行なう為の装置に関するものである。
【背景技術】
【０００２】
従来から、非侵襲的な方法、つまり直接採血することなく患者の血糖値を求める非侵襲血糖計等の生体内成分測定装置が提供されている。この種の生体内成分測定装置は、皮膚組織中のグルコース濃度が血液中のグルコース濃度との間に有する高い相関関係を利用して、血糖値測定の代用値として上記皮膚組織中のグルコース濃度を非侵襲的に測定するという方法を用いている。具体的には、皮膚組織に近赤外線領域の光を照射し、皮膚組織を経由した光（皮膚組織を透過もしくは皮膚組織で拡散された光）を検出することで、皮膚組織中における光の吸収強度を測定し、この光の吸収強度の測定結果により体内のグルコース濃度を測定する方法が用いられている。
【０００３】
このような皮膚組織中のグルコース濃度は、数十〜数百ｍｇ／ｄｌと微量であるため、グルコース濃度の定量には、皮膚組織を透過或いは皮膚組織で拡散反射された光をＳ／Ｎ良く捉えることが重要となる。
【０００４】
つまり、生体内成分測定装置において、生体内における微小な成分濃度を高精度に計測するためには、装置の安定性が非常に重要である。
【０００５】
ここで、測定されるスペクトルに変動を与える装置的な要素としては、光源や、受光素子、光学系、回路ブロック、またその他構成部品等の経時的な周囲環境変化が主として挙げられる。上記の変動を補正するための手段の一つとして、生体（被験者の身体）の生体信号の測定に加えて、生体信号の測定に用いた光源から得られる光をセラミック板等の参照用の反射板（以下、「参照板」と称する）に照射した際の反射を測定し、この反射した光を参照信号（リファレンス信号）として用いることで上記の変動を補正することが行われている。
【０００６】
このように、生体から得られる生体信号に加えて、参照板（基準板、標準板ともいう）から得られる参照信号を測定する生体内成分測定装置としては、図５に示すようなものが従来から提供されている（特許文献１）。
【０００７】
図５に示す生体内成分測定装置は、近赤外光を出射する光源部１０及び光源部１０から出射された近赤外光を２つに分岐する分岐部１６を備える光源ユニット１と、分岐部１６で分岐された一方の近赤外光を生体Ｓに照射し、該生体Ｓ内を経由した近赤外光を受光して生体信号として出射する生体用光伝送路となる第１の測定プローブ２と、分岐部１６で分岐された他方の近赤外光を参照板Ｒに照射し、該参照板Ｒで反射された近赤外光を受光して参照信号として出射する参照用光伝送路となる第２の測定プローブ３と、前記生体信号及び前記参照信号をそれぞれ受光し、各々に対応する電気信号を出力する分光受光ユニット（受光ユニット）４と、分光受光ユニット４で受光する信号を選択する信号選択部５と、分光受光ユニット４から出力される電気信号に基づいて生体内成分（グルコース濃度）を算出する演算ユニット６とを備えている。
【０００８】
ここで、光源ユニット１は、波長１０００ｎｍ〜２５００ｎｍの近赤外線を発生させるハロゲンランプ等の光源部１０と、光源部１０の光を均一にする拡散板１１と、拡散板１１により均一にされた光を点光源に変換するためのピンホール１２ａを有するピンホール板１２と、ピンホール１２ａを通過した光を平行化するコリメートレンズ１３と、コリメートレンズ１３で平行化された光を集光する集光レンズ１４と、コリメートレンズ１３及び集光レンズ１４を保持するレンズホルダ１５と、レンズホルダ１５に設けられて集光レンズ１４により集光された近赤外光を２つに分岐する分岐部１６とを備えている。
【０００９】
第１の測定プローブ２は、分岐部１６で分岐された一方の近赤外光を生体Ｓに照射するための投光用の光ファイバ２０ａと、生体Ｓ内を経由した近赤外光を受光して生体信号として出射するための受光用の光ファイバ２０ｂとを束ねた光ファイババンドル２０を備えている。また、光ファイババンドル２０には、投光用の光ファイバ２０ａの出力端（図示せず）及び受光用の光ファイバ２０ｂの入力端（図示せず）を生体Ｓに対向配置するためのセンシング部２１と、受光用の光ファイバ２０ｂの出力端（図示せず）から生体信号を出射するための出射部２２とが設けられている。
【００１０】
第２の測定プローブ３は、第１の測定プローブ２と同様のものであり、分岐部１６で分岐された他方の近赤外光を参照板Ｒに照射するための投光用の光ファイバ３０ａと、参照板Ｒで反射された近赤外光を受光して参照信号として出射するための受光用の光ファイバ３０ｂとを束ねた光ファイババンドル３０を備えている。また、光ファイババンドル３０には、投光用の光ファイバ３０ａの出力端（図示せず）及び受光用の光ファイバ３０ｂの入力端（図示せず）を参照板Ｒに対向配置するためのセンシング部３１と、受光用の光ファイバ３０ｂの出力端（図示せず）から生体信号を出射するための出射部３２とが設けられている。尚、各測定プローブ２，３に用いる光ファイバとしては、クラッド径が２００μｍ、コア径が１８０μｍのものを用いている。
【００１１】
分光受光ユニット４は、第１の測定プローブ２の出射部２２から出射される生体信号を平行化するコリメートレンズ４０と、第２の測定プローブ３の出射部３２から出射される参照信号を平行化するコリメートレンズ４１と、各コリメートレンズ４０，４１で平行化された生体信号又は参照信号を集光する集光レンズ４２と、コリメートレンズ４０，４１及び集光レンズ４２を保持するレンズホルダ４３と、集光レンズ４２で集光された生体信号又は参照信号を分光する回折格子（図示せず）を有する分光部４４と、分光部４４で分光された生体信号又は参照信号を検出するＩｎＧａＡｓアレイ型の受光素子（図示せず）、及び該受光素子の検出信号をＡＤ変換して出力するＡＤ変換部（図示せず）を有する受光部４５とを備えている。
【００１２】
信号選択部５は、第１の測定プローブ２の出射部２２と分光受光ユニット４のコリメートレンズ４０との間に開閉自在に配置される生体信号用のシャッター５ａと、第２の測定プローブ３の出射部３２と分光受光ユニット４のコリメートレンズ４１との間に開閉自在に配置される参照信号用のシャッター５ｂとを有している。
【００１３】
演算ユニット６は、マイコンからなり、受光部４５から出力された電気信号を基に重回帰分析あるいは主成分回帰分析によって検量式によりグルコース濃度を算出する機能を有している。
【００１４】
次に、生体内成分測定装置の測定時の動作について説明する。尚、測定を行う際には、第２の測定プローブ２のセンシング部２１を、接触位置を一定化させる為の位置決め治具（図示せず）によって接触圧力９８００〜４９０００Ｐａで生体Ｓと当接させる。
【００１５】
まず、光源ユニット１において、光源部１０から出射された光は、拡散板１１により均一化された後に、ピンホール１２ａを通過し、コリメートレンズ１３で平行化され、集光レンズ１４で集光されて、分岐部１６に入射される。
【００１６】
分岐部１６に入射した近赤外光は２つに分岐されて、各測定プローブ２、３にそれぞれ入射される。ここで、第１の測定プローブ２に入射した近赤外光は、投光用の光ファイバ２０ａ内を伝達して、センシング部２１に達し、センシング部２１から生体Ｓに照射される。そして、センシング部２１から生体Ｓに照射された近赤外光は、生体Ｓの内部において反射または拡散された後に、再び生体Ｓの外部へと出射される。このようにして生体Ｓ内を経由した近赤外光は、センシング部２１から生体信号として採り入れられ、受光用の光ファイバ２０ｂ内を伝わって、出射部２２にまで達する。
【００１７】
一方、第２の測定プローブ３に入射した光は、投光用の光ファイバ３０ａ内を伝達して、センシング部３１に達し、センシング部３１から参照板Ｒに照射される。そして、センシング部３１から参照板Ｒに照射された近赤外光は、参照板Ｒで反射された後に、センシング部３１から参照信号として採り入れられ、受光用の光ファイバ３０ｂ内を伝わって、出射部３２にまで達する。
【００１８】
このようにして、第１の測定プローブ２の出射部２２からは生体信号が、第２の測定プローブ３の出射部３２からは参照信号がそれぞれ出射されることになるが、生体信号及び参照信号は、各々の出射方向に配置された信号選択部５により選択的に遮断され、これにより分光受光ユニット４で受光する信号の選択が行われる。
【００１９】
ここで、信号選択部５の各シャッター５ａ，５ｂの動作について、図６（ａ）〜（ｃ）を参照して説明する。図６（ａ）は、生体信号用のシャッター５ａと参照信号用のシャッター５ｂの両方が閉じた状態であり、この場合、後述する分光受光ユニット４では暗出力が検出される。図６（ｂ）は、図６（ａ）と比較して生体信号用のシャッター５ａが開いた状態であり、この場合、分光受光ユニット４では、生体信号のみを受光することができる。一方、図６（ｃ）は、図６（ａ）と比較して参照信号用のシャッター５ｂが開いた状態であり、この場合、分光受光ユニット４では、参照信号のみを受光することができる。以上述べたように、シャッター５ａ，５ｂの開閉を切り換えることで、分光受光ユニット４において、生体信号と参照信号を選択的に受光するようにしている。
【００２０】
シャッター５ａ，５ｂの開閉によって選択された生体信号又は参照信号は、分光受光ユニット４の各コリメートレンズ４０，４１でそれぞれ平行化された後に、集光レンズ４２にて集光され、回折格子を有する分光部４４へと入射される。分光部４４に入射された生体信号又は参照信号は、回折格子で分光された上で、受光部４４のＩｎＧａＡｓアレイ型の受光素子で電気信号として検出され、この電気信号は、ＡＤ変換部によりＡＤ変換されて演算ユニット６に出力される。
【００２１】
そして、演算ユニット６では、分光受光ユニット４から出力された電気信号（生体信号に対応する電気信号及び参照信号に対応する電気信号）を基に重回帰分析あるいは主成分回帰分析によって検量式により生体内成分としてグルコース濃度を算出する。
【特許文献１】特開２００２−６５６４５号公報（第１図及び第４図）
【発明の開示】
【発明が解決しようとする課題】
【００２２】
以上述べた従来の生体内成分測定装置では、光源ユニット１の近赤外光の波長に対する吸光度Ａｂｓは、生体信号をＳｉｇ、参照信号をＲｅｆ、暗出力をＤｋとすると、Ａｂｓ＝ｌｏｇ１０（Ｒｅｆ−Ｄｋ／Ｓｉｇ−Ｄｋ）で表わされ、このような吸光度Ａｂｓの波長分布を求めることで、スペクトルを得、このスペクトルを元にグルコース濃度の定量分析を行っている。
【００２３】
上記の式では、参照信号を、生体Ｓに照射される近赤外光の代用信号として用いているため、参照信号を測定することにより、例えば、光源ユニット１の光源部１０が環境温度等の変化によって光量が変化したとしても、このような光量の変化による吸光度の変化を補正することが可能となっている。
【００２４】
このように、従来の生体内成分測定装置では、生体信号のみならず参照信号も同時に検出することで、光源ユニット１や分光受光ユニット４、その他の光学部品などの位置関係における変動や周囲環境温度の時間的な変動の補正を行っていた。
【００２５】
ところで、図５に示す従来の生体内成分測定装置では、１つのスペクトルを測定するために、暗出力Ｄｋ、生体信号Ｓｉｇ、参照信号Ｒｅｆをそれぞれ測定しているが、これら暗出力Ｄｋ、生体信号Ｓｉｇ、参照信号Ｒｅｆの測定の間には、シャッター５ａ，５ｂの切り替えに起因する時間差（タイムラグ）があり、このような時間差によって、光源ユニット１の光の出力や、分光受光ユニット４の暗出力は絶えず変化している。
【００２６】
これらの出力変化は、周囲の環境変化に依存し、安定な一定環境下では、出力変化は小さく、環境変化が大きいと、出力変化は大きくなる（特に分光受光ユニット４の暗出力が上記の環境変化により受ける影響は大きい）。また、装置内の他の光学系や、回路ブロック、その他の構成部品も上記の環境変化の影響を受けることになる。
【００２７】
しかしながら、従来の生体内成分測定装置では、このような環境変化に対する対応が不十分であり、そのため光源ユニットの光出力や、受光ユニットの暗出力等が環境変化によって大きく変化し、これにより精度の良い測定を行うことができないという問題があった。
【００２８】
本発明は上述の点に鑑みて為されたもので、その目的は、生体内成分の測定を高精度に行える生体内成分測定装置を提供することにある。
【課題を解決するための手段】
【００２９】
上記の問題を解決するために、請求項１の生体内成分測定装置の発明では、近赤外光を出射する光源部と、該光源部から出射された近赤外光を２つに分岐する分岐部と、該分岐部で分岐された一方の近赤外光を生体に照射し、該生体内を経由した前記近赤外光を受光して生体信号として出射する生体用光伝送路と、前記分岐部で分岐された他方の近赤外光を参照用の反射板に照射し、該反射板で反射された近赤外光を受光して参照信号として出射する参照用光伝送路と、前記生体信号及び前記参照信号をそれぞれ受光し、各々に対応する電気信号を出力する受光ユニットと、該受光ユニットから出力される電気信号に基づいて所定の生体内成分を算出する演算ユニットと、少なくとも前記受光ユニットを収納する恒温暗箱とを備えていることを特徴とする。
【００３０】
請求項２の生体内成分測定装置の発明では、請求項１の構成に加えて、前記光源部は、前記恒温暗箱とは別の光源用恒温暗箱に収納されていることを特徴とする。
【００３１】
請求項３の生体内成分測定装置の発明では、請求項１又は２の構成に加えて、前記光源部と、前記分岐部と、前記生体用光伝送路と、前記参照用光伝送路と、前記受光ユニットと、前記恒温暗箱とを収納する筐体を備え、前記恒温暗箱は、前記筐体の下部に配置されていることを特徴とする。
【００３２】
請求項４の生体内成分測定装置の発明では、請求項１又は２の構成に加えて、前記分岐部と、前記生体用光伝送路と、前記参照用光伝送路と、前記受光ユニットと、前記恒温暗箱と、前記反射板とを収納する筐体を備え、該筐体には、前記光源部が出射する近赤外光を前記分岐部に入射させる光入射部が設けられていることを特徴とする。
【発明の効果】
【００３３】
本発明は、環境変化による影響が大きい受光ユニットを恒温暗箱に収納しているので、受光ユニットの環境変化（主に温度変化）を小さくすることができ、これにより参照信号を生体に照射される近赤外光の代用信号として用いる場合の信頼性が高くなるとともに、受光ユニットの暗出力が安定するから、安定で再現性の良いスペクトルが得られ、その結果、生体内成分の測定を高精度に行えるという効果を奏する。さらに、受光ユニットを恒温暗箱に収納することで、生体信号及び参照信号とは無関係な光が受光ユニットに入射すること（つまりは迷光）に起因する誤差を低減でき、これにより生体内成分の測定をさらに高精度に行えるという効果を奏する。
【発明を実施するための最良の形態】
【００３４】
以下に、図１〜図４を参照して、本発明の生体内成分測定装置の実施形態について説明する。尚、以下の説明において、図５に示す従来例構成と同様の構成については、同一の符号を付して説明を省略する。
【００３５】
（実施形態１）
本実施形態の生体内成分測定装置は、皮膚組織中のグルコース濃度の定量分析により血糖値（血液中のグルコース濃度）の算出を行う非侵襲血糖計であり、図５に示す従来例の構成に加えて、図１に示すように、分光受光ユニット４を収納する恒温暗箱７と、光源ユニット１、各測定プローブ２，３、分光受光ユニット４、信号選択部５、恒温暗箱７、及び参照板Ｒを収納する筐体８とを備えていることに特徴がある。また、本実施形態の分光受光ユニット４は、分光部４４と受光部４５とを備える代わりに、分光部４４と受光部４５の機能を併せ持った分光受光部４６を備えている点で異なっている。
【００３６】
ここで、恒温暗箱７は、内部の温度を所定の温度に維持するとともに、内部を暗室状態に維持するものである。このような恒温暗箱７は、例えば、分光受光ユニット４と、遮断部５と、測定プローブ３と、参照板Ｒとを収納できる程度の大きさに形成されるとともに内部が暗室状態となるように構成された箱体７ａと、箱体７ａ内の温度を測定するためのセンサ（図示せず）と、ペルチェ効果を利用した加熱／冷却装置（図示せず）と、排熱用のファン（図示せず）等と、これらを制御（例えば、ＰＩＤ制御）して箱体７ａ内を所定の温度に維持するための温度制御装置（図示せず）とを備えている。
【００３７】
また、恒温暗箱７には、投光用の光ファイバ３０ａを分岐部１６に接続するための孔部（図示せず）と、受光用の光ファイバ２０ｂを箱体７ａ内に導入するための孔部（図示せず）と、分光受光部４６を演算ユニット６に接続するための孔部（図示せず）とが設けられている。尚、箱体７ａは、熱伝導性の低い材料からなることが好ましい。また尚、箱体７ａに真空層等の断熱層を設けるようにしてもよい。
【００３８】
筐体８は、例えば、金属材料等を用いて、光源ユニット１、各測定プローブ２，３、分光受光ユニット４、信号選択部５、恒温暗箱７、及び参照板Ｒを収納できる程度の大きさに形成されている。また、筐体８には、センシング部２１を筐体８外に導出するための孔部（図示せず）が設けられるとともに、分光受光部４６と演算ユニット６とを接続するための孔部（図示せず）が設けられている。
【００３９】
さらに、筐体８には、パンチング処理（穴抜き処理）が為されており、これにより筐体８内の熱が外部に逃げやすくなって、恒温暗箱７の冷却モード時の動作効率を向上させることができる。加えて、恒温暗箱７を筐体８において熱が溜まりにくい筐体８の下部（好ましくは最下部）に配置しているので、恒温暗箱７の冷却モード時の動作効率をさらに向上できる。この点は、後述する実施形態２〜４においても同様である。
【００４０】
以上述べた本実施形態の生体内成分測定装置によれば、環境変化による影響が大きい分光受光ユニット４を恒温暗箱７に収納しているので、分光受光ユニット４の環境変化（主に温度変化）を小さくすることができる。これにより、分光受光ユニット４のコリメートレンズ４０，４１や、集光レンズ４２、分光受光部４６内の回折格子（図示せず）等の光学部品の温度による膨張、収縮が低減されて、生体信号や参照信号が安定で再現性の高いものとなる。加えて、参照信号を生体Ｓに照射される近赤外光の代用信号として用いる場合の信頼性が高くなるとともに、分光受光ユニット４の暗出力が安定するから、安定で再現性の良いスペクトルが得られ、その結果、生体内成分の測定を高精度に行えるという効果を奏する。
【００４１】
しかも、分光受光ユニット４を恒温暗箱７に収納することで、生体信号及び参照信号とは無関係な光が分光受光ユニット４に入射すること（つまりは迷光）に起因する誤差を低減でき、これにより生体内成分の測定をさらに高精度に行えるという効果を奏する。
【００４２】
加えて、参照信号用の参照板Ｒをも恒温暗箱７内に収納するようにしているので、環境変化によって参照板Ｒの状態が変化してしまうことを抑制でき、これにより環境変化の参照信号への影響をさらに低減することができて、生体内成分の測定をさらに高精度に行えるという効果を奏する。
【００４３】
一方、上記の恒温暗箱７に除震（防振）機能を設けるようにしてもよく、これにより、振動による光学部材のずれや、第２の測定プローブ３と参照板Ｒとの位置関係のずれ等が生じることを抑制でき、再現性の良い測定を行えるという効果を奏する。
【００４４】
（実施形態２）
本実施形態の生体内成分測定装置は、図１に示す実施形態１の構成において、恒温暗箱７を備える代わりに、図２に示す恒温暗箱７０を備えていることに特徴がある。
【００４５】
この恒温暗箱７０は、上記実施形態１の恒温暗箱７と同様に、内部の温度を所定の温度に維持するとともに、内部を暗室状態に維持するものであるが、箱体７０ａが、分光受光ユニット４だけではなく、光源ユニット１と、各測定プローブ２，３と、遮断部５と、参照板Ｒとを収納できる程度の大きさに形成されている点で実施形態１の恒温暗箱７と異なっている。また、恒温暗箱７０には、各光ファイバ２０ａ，２０ｂを外部に導出するための孔部（図示せず）と、分光受光部４６と演算ユニット６とを接続するための孔部（図示せず）とが設けられている。
【００４６】
したがって、本実施形態の生体内成分測定装置によれば、上記実施形態１と同様の効果を奏する上に、分光受光ユニット４だけでなく光源ユニット１をも恒温暗箱７０に収納しているので、光源ユニット１の環境変化を低減でき、これにより光源部１０の光出力が安定し、生体内成分の測定をさらに高精度に行えるという効果を奏する。また、光源ユニット１のコリメートレンズ１３や、集光レンズ１４等の光学部品の温度による膨張、収縮も低減されるので、生体信号や参照信号が安定で再現性の高いものとなる。
【００４７】
（実施形態３）
本実施形態の生体内成分測定装置は、図１に示す実施形態１の構成に加えて、図３に示す光源用恒温暗箱７１を備えていることに特徴がある。
【００４８】
この光源用恒温暗箱７１は、上記実施形態１の恒温暗箱７と同様に、内部の温度を所定の温度に維持するとともに、内部を暗室状態に維持するものであるが、箱体７１ａが、光源ユニット１を収納できる程度の大きさに形成されている点で実施形態１の恒温暗箱７と異なっている。また、光源用恒温暗箱７１には、各測定プローブ２，３の投光用の光ファイバ２０ａ，３０ａを分岐部１６に接続するための孔部（図示せず）が設けられている。
【００４９】
したがって、本実施形態の生体内成分測定装置によれば、光源ユニット１を光源用恒温暗箱７１に収納しているので、上記実施形態２と同様の効果を奏することができる。しかも、実施形態２とは異なり、光源ユニット１を、分光受光ユニット４を収納する恒温暗箱７とは別の光源用恒温暗箱７１に収納しているので、光源ユニット１での発熱（主に光源部１０の発熱）が分光受光ユニット４に悪影響を与えることを防止でき、これにより生体内成分の測定をさらに高精度に行えるという効果を奏する。
【００５０】
（実施形態４）
本実施形態の生体内成分測定装置は、図４に示すように、光源部１０を有する光源ユニット９０と、光ファイバＦにより光源ユニット９０と接続される測定ユニット９１と、演算ユニット６とを備えており、光源ユニット９０は、上記の光源ユニット１と同様のものであるが、分岐部１６を備える代わりに、集光レンズ１４で集光された近赤外光を照射する光照射部１７を備えている点で異なっている。
【００５１】
測定ユニット９１は、分岐部１６と、第１の測定プローブ２と、第２の測定プローブ３と、分光受光ユニット４と、信号選択部５と、恒温暗箱７と、参照板Ｒと、これらを収納する筐体８０とで構成されている。ここで、筐体８０は、例えば、金属材料等を用いて、分岐部１６と、第１の測定プローブ２と、第２の測定プローブ３と、分光受光ユニット４と、信号選択部５と、恒温暗箱７と、参照板Ｒとを収納できる程度の大きさに形成されている。
【００５２】
また、筐体８０には、光源ユニット９０の光照射部１７に一端が接続された光ファイバＦの他端を接続するための光入射部８０ａが設けられており、この光入射部８０ａに光ファイバＦの他端を接続することで、分岐部１６に光源部１０が出射する近赤外光を入射させることができるようになっている。さらに、筐体８０には、センシング部２１を筐体８０外に導出するための孔部（図示せず）が設けられるとともに、分光受光部４６と演算ユニット６とを接続するための孔部（図示せず）が設けられている。
【００５３】
したがって、本実施形態の生体内成分測定装置によれば、分岐部１６と、各測定プローブ２，３と、分光受光ユニット４と、恒温暗箱７と、参照板Ｒとを筐体８０に収納し、光源部１０を筐８０に収納しないようにしているから、光源部１０を筐体８０に収納する場合に比べて筐体８０を小型化できる。また、光源部１０を有する光源ユニット９０と、分光受光ユニット等を収納した筐体からなる測定ユニット９１とを別々に取り扱うことができるから、これらの設置が容易になり、しかも光源部１０の取り替えを容易に行えるという効果を奏する。
【図面の簡単な説明】
【００５４】
【図１】実施形態１の生体内成分測定装置の概略説明図である。
【図２】実施形態２の生体内成分測定装置の概略説明図である。
【図３】実施形態３の生体内成分測定装置の概略説明図である。
【図４】実施形態４の生体内成分測定装置の概略説明図である。
【図５】従来の生体内成分測定装置の概略説明図である。
【図６】（ａ）は、従来の生体内成分測定装置において、シャッターが両方とも閉じた状態を示す説明図であり、（ｂ）は、生体信号用のシャッターのみが開いた状態を示す説明図であり、（ｃ）は、参照信号用のシャッターのみが開いた状態を示す説明図である。
【符号の説明】
【００５５】
１    光源ユニット
１０  光源部
１６  分岐部
２    第１の測定プローブ
３    第２の測定プローブ
４    分光受光ユニット
５    信号選択部
６    演算ユニット
７    恒温暗箱
Ｓ    生体
Ｒ    参照板
【図１】
2007151962.tif 000003
【図２】
2007151962.tif 000004
【図３】
2007151962.tif 000005
【図４】
2007151962.tif 000006
【図５】
2007151962.tif 000007
【図６】
2007151962.tif 000008